(57)【要約】【課題】一つの構成でデジタル放送とアナログ放送とを良好に受信することができる放送受信装置及び放送受信方法を提供する。【解決手段】アナログ放送及びデジタル放送を含む放送信号を受信し、一つの放送信号を選局して選局放送信号を出力する選局部（１７）と、選局放送信号を制御信号（ＩＦ＿ＡＧＣ）に応じて増幅する増幅部（２５）と、この増幅された選局放送信号を復調する第１復調部（３３，３４）と、選局部がアナログ放送を選局する場合、増幅部の増幅処理を抑制するべく制御する制御部（３３−２）と、選局部からの選局放送信号のうちアナログ音声信号及びアナログ映像信号を通過させるフィルタ部（２６，２７）と、フィルタ部を通過した選局放送信号を復調する第２復調部（２８）と、選局部がデジタル放送を選局する場合は第１復調部からの復調信号に、アナログ放送を選局する場合は第２復調部からの復調信号に、映像音声信号処理を施す映像音声処理部（３５）をもつ放送受信装置。【選択図】図１
2009038492.tif 000002
【特許請求の範囲】
【請求項１】
アナログ放送及びデジタル放送を含む放送信号を受信し、一つの放送信号を選局して選局放送信号を出力する選局部と、
前記選局部からの選局放送信号を、制御信号に応じて増幅する増幅部と、
前記増幅部からの増幅された選局放送信号を復調する第１復調部と、
前記選局部がアナログ放送を選局する場合、前記増幅部の増幅処理を抑制するべく制御する制御部と、
前記選局部からの選局放送信号のうち、アナログ音声信号及びアナログ映像信号を通過させるフィルタ部と、
前記フィルタ部を通過した前記選局放送信号を復調する第２復調部と、
前記第１復調部からの復調信号と前記第２復調部からの復調信号を受け、前記選局部がデジタル放送を選局する場合は前記第１復調部からの復調信号に、前記選局部がアナログ放送を選局する場合は前記第２復調部からの復調信号に、映像信号処理及び音声信号処理を施す映像音声処理部を具備することを特徴とする放送受信装置。
【請求項２】
前記制御部は、前記選局部がアナログ放送を選局する場合、前記増幅された選局放送信号のゲインを最小になるように制御することを特徴とする請求項１記載の放送受信装置。
【請求項３】
前記制御部は、前記選局部がアナログ放送を選局する場合、前記増幅部の動作を停止することで、前記増幅された選局放送信号のゲインを最小とするべく制御することを特徴とする請求項２記載の放送受信装置。
【請求項４】
前記制御部は、前記選局部がアナログ放送を選局する場合、前記第１復調部をスリープモードとするべく制御することを特徴とする請求項１記載の放送受信装置。
【請求項５】
前記第１復調部は、前記増幅部からの増幅された選局放送信号を受けてＡ／Ｄ変換するＡＤコンバータと、前記ＡＤコンバータによる変換信号に基づいて、放送信号の大きさを検出し検出結果に応じて前記制御信号を前記増幅部に供給する検出部と、前記第１復調部の変換動作を行なう論理部を有しており、
前記制御部は、前記選局部がアナログ放送を選局する場合、前記ＡＤコンバータと前記論理部と前記論理部に含まれるＰＬＬ回路の動作を停止することで、前記増幅部のフィードバックを停止させることにより、前記増幅部の増幅処理を抑制することを特徴とする請求項１記載の放送受信装置。
【請求項６】
前記制御部は、前記選局部がアナログ放送を選局する場合、前記増幅部と前記フィルタ部を電気的に分離することを特徴とする請求項１記載の放送受信装置。
【請求項７】
前記フィルタ部は、
前記選局部からの選局放送信号を受けてフィルタリングを施して、アナログ放送の音声信号を出力する音声フィルタと、
前記選局部から前記選局放送信号を受けてフィルタリングを施して、アナログ放送の映像信号を出力する映像フィルタを具備することを特徴とする請求項１記載の放送受信装置。
【請求項８】
アナログ放送及びデジタル放送を含む放送信号を受信し、一つの放送信号を選局して選局放送信号を出力し、
前記選局放送信号を、制御信号に応じて増幅し、
前記増幅された選局放送信号を復調し、
前記選局部がアナログ放送を選局する場合、前記増幅処理を抑制するべく制御し、
前記選局放送信号のうち、アナログ音声信号及びアナログ映像信号を通過させ、
前記通過した前記選局放送信号を復調し、
前記増幅された選局放送信号を復調した復調信号及び前記通過した前記選局放送信号を復調した復調信号を受け、少なくとも一方に、映像信号処理及び音声信号処理を施すことを特徴とする放送受信方法。
【請求項９】
前記アナログ放送を選局する場合、前記増幅された選局放送信号のゲインを最小とするべく制御することを特徴とする請求項８記載の放送受信方法。
【請求項１０】
前記アナログ放送を選局する場合、前記増幅処理の動作を停止することで、前記増幅された選局放送信号のゲインを最小とするべく制御することを特徴とする請求項８記載の放送受信方法。
【発明の詳細な説明】
【技術分野】
【０００１】
デジタル放送とアナログ放送とを同一の構成により受信するチューナを用いる放送受信装置及び放送受信方法に関する。
【背景技術】
【０００２】
周知のように、デジタル技術が普及・発達する中で、例えば、ＴＶ放送において、従来のアナログ放送信号による放送と、地上波デジタル等のデジタル放送信号による放送とが利用されている。このようにデジタル放送とアナログ放送とが同時に普及した状況となると、一つのＴＶチューナユニットで、デジタル放送とアナログ放送を選択的に受信することが要望される。このようなＴＶチューナユニットでは、デジタル放送受信回路とアナログ放送受信回路とを個別の回路で設けるのでなく、一つの放送受信回路で実現する技術が知られている。
【０００３】
特許文献１は、アナログ方式受信時は、デジタル処理部への信号並びに電源供給を絶つことによりアナログ用ＡＧＣへの影響を無くしたデジタルテレビジョンチューナが開示されている。
【特許文献１】特開平１１−２６１９２２号公報
【発明の開示】
【発明が解決しようとする課題】
【０００４】
しかし、特許文献１の従来技術では、デジタル処理部への信号及び電源供給を絶つことによりアナログ用回路への影響をなくしているため、アナログ放送の受信からデジタル放送の受信への切替の際に、デジタル放送処理部への通電が開始することにより、デジタル放送処理部の起動が遅くなる。これにより、ユーザが操作した際に、デジタル放送に切り替えても動作するまでに待ち時間が発生するという問題がある。
【０００５】
又、アナログ放送の受信の際に、デジタルＩＦ（中間周波数）ラインにもアナログＩＦ信号が入り、デジタル復調部を動作させておくと、デジタル復調部で信号レベルを検波し、その検波電圧をＩＦ＿ＡＧＣ電圧としてデジタルＩＦ＿ＡＭＰ部にフィードバックしてしまう。特に弱電界受信時に、アナログＩＦ信号レベルが低くなるのに対して、デジタルＩＦ信号レベルは、ＩＦ＿ＡＧＣ部の制御を受けて上がってしまう。デジタルＩＦ＿ＡＭＰ部は利得が高く、弱電界受信時は、デジタルＩＦ信号が大きくなり、アナログＩＦ信号の信号レベルは相対的に小さくなる。そのため、デジタルＩＦ信号ラインからアナログＩＦ信号ラインへの漏れ込みが起こってしまう。それが、スプリアスとなってアナログ受信時の映像に縞を作ってしまうという問題がある。
【０００６】
本発明は、一つの構成でデジタル放送とアナログ放送とを良好に受信することができる放送受信装置及び放送受信方法を提供することを目的とする。
【課題を解決するための手段】
【０００７】
課題を解決するための一実施形態は、
アナログ放送及びデジタル放送を含む放送信号を受信し、一つの放送信号を選局して選局放送信号を出力する選局部（１７）と、
前記選局部からの選局放送信号を、制御信号（ＩＦ＿ＡＧＣ）に応じて増幅する増幅部（２５）と、
前記増幅部からの増幅された選局放送信号を復調する第１復調部（３３，３４）と、
前記選局部がアナログ放送を選局する場合、前記増幅部の増幅処理を抑制するべく制御する制御部（３３−２）と、
前記選局部からの選局放送信号のうち、アナログ音声信号及びアナログ映像信号を通過させるフィルタ部（２６，２７）と、
前記フィルタ部を通過した前記選局放送信号を復調する第２復調部（２８）と、
前記第１復調部からの復調信号と前記第２復調部からの復調信号を受け、前記選局部がデジタル放送を選局する場合は前記第１復調部からの復調信号に、前記選局部がアナログ放送を選局する場合は前記第２復調部からの復調信号に、映像信号処理及び音声信号処理を施す映像音声処理部（３５）を具備することを特徴とする放送受信装置である。
【発明の効果】
【０００８】
アナログ放送の受信の際は、デジタル放送側のＩＦ−ＡＧＣ用の増幅処理を抑制することで、デジタルＩＦ信号ラインからアナログＩＦ信号ラインへの漏れ込みを防止することで、同一の回路構成により、アナログ放送とデジタル放送の良好な受信を可能とする。
【発明を実施するための最良の形態】
【０００９】
以下、この発明の実施の形態について図面を参照して詳細に説明する。
【００１０】
＜本発明の一実施形態である放送受信装置の構成の一例＞
初めに、本発明の一実施形態である放送受信装置の構成の一例を図面を用いて、詳細に説明する。図１は、本発明の一実施形態に係るアナログ・デジタルチューナ部の構成の一例を示すブロック図である。
【００１１】
すなわち、図１に示すように、本発明の一実施形態である放送受信装置１は、アナログ・デジタルチューナ部１０と、アナログ・デジタルチューナ部１０からデジタル放送からのＯＦＤＭ形式信号のデジタル信号を受ける復調部３３と、復調部３３から供給されたＴＳ信号を受けるＭＰＥＧデコーダ部３４と、ＭＰＥＧデコーダ部３４からのデコード信号と、アナログ・デジタルチューナ部１０からアナログ放送からの映像音声信号とを受ける映像音声処理部３５と、最終的な映像信号及び音声信号を出力する出力端４１を有している。
【００１２】
ここで、復調部３３は、一例として、ＯＦＤＭ形式信号をＴＳ（Transport Stream）信号としての映像音声信号に変換するものである。復調部３３は、アナログ・デジタルチューナ部１０のアンプ部２５からのデジタルＩＦ出力を受けてＡ／Ｄ変換するＡ／Ｄコンバータ３３−１と、Ａ／Ｄコンバータ３３−１での信号を観測して必要な増幅部制御信号（ＩＦ＿ＡＧＣ）をアンプ部２５に供給するレベル検出部３３−４を有している。
【００１３】
更に、復調部３３は、一例として、ＯＦＤＭ形式信号をＴＳ信号の映像音声信号に変換する論理部３３−２を有しており、ＰＬＬ３３−３で生成したタイミング信号に応じて、変換処理を行なう。
【００１４】
又、ＭＰＥＧデコーダ部３４は、変換処理されたＴＳ信号にＭＰＥＧデコード処理を施して、本来の映像信号及び音声信号を出力する。
【００１５】
最後に、映像音声処理部３５は、アナログ・デジタルチューナ部１０からアナログ放送からの映像音声信号、又は、ＭＰＥＧデコーダ部３４からの映像音声信号を、選択的に取得する。すなわち、第１復調部（復調部３３，ＭＰＥＧデコーダ部３４）からの復調信号と第２の復調部２８からの復調信号を受け、選局部がデジタル放送を選局する場合は第１復調部（復調部３３，ＭＰＥＧデコーダ部３４）からの復調信号に、選局部がアナログ放送を選局する場合は第２の復調部２８からの復調信号に、映像信号処理及び音声信号処理を施すものである。そして、映像音声処理部３５は、選択した映像音声信号に映像信号処理及び音声信号処理を施した映像及び音声信号を出力端４１に出力する。
【００１６】
一方、アナログ・デジタルチューナ部１０は、アナログ放送信号とデジタル放送信号を同一の構成で再生するものである。アナログ・デジタルチューナ部１０は、図１に示すように、図示しないアンテナ部から放送信号を入力する入力端１１と、高周波成分以外を通過させないハイパスフィルタ１２と、その後段のアンプ部１３と、アンプ部１３の後段のバンドパスフィルタ１４と、ＡＧＣ（Automatic Gain Control）を構成しているアンプ部１５を有している。
【００１７】
更に、アナログ・デジタルチューナ部１０は、アンプ部１５の後段に設けられ使用する周波数以外をカットするバンドパスフィルタ１６と、図示しない操作部からの操作信号に応じて一つの放送局の放送信号を選局する選局部１７と、選局部１７からの出力を受けるバンドパスフィルタ２３を有している。
【００１８】
更に、アナログ・デジタルチューナ部１０は、アナログ放送信号を処理するための構成として、アナログ音声信号を通過させるアナログ音声フィルタ２６と、アナログ映像信号を通過させるアナログ映像フィルタ２７と、これらアナログ音声信号及びアナログ映像信号を復調させる第２の復調部２８を有している。
【００１９】
更に、上述した選局部１７は、その構成として、例えば図示しない操作部からの操作信号に応じて、デジタル放送でもアナログ放送でも指定されたチャンネルに応じた局発信号を発振する発振部１９と、この局発信号とバンドパスフィルタ１６とを混合処理することで指定チャンネルの選局を果たす混合部１８を有している。
【００２０】
更に、上述した選局部１７は、混合部１８からの中間周波数信号（ＩＦ信号）（すなわち選局放送信号）にフィルタをかけるバンドパスフィルタ２０と、フィルタの出力を増幅するアンプ部２２と、アンプ部２２からの出力レベルを検出してアンプ部１５に制御電圧を供給するレベル検出部２１と、バンドパスフィルタ２３の出力を受ける、利得調整機能（ＡＧＣ）を有するアンプ部２４と、バンドパスフィルタ２３の出力を受けてこれを増幅してアナログ音声フィルタ２６とアナログ映像フィルタ２７に供給するアンプ部２５を有している。
【００２１】
このような構成により、アナログ・デジタルチューナ部１０は、例えばアナログ放送の３チャンネルやデジタル放送の１０チャンネルが指定されると、これに応じて、選局部１７により、このチャンネルの放送信号を選局する。そして、選局された放送信号は、アンプ部２４及びアンプ部２５を経由し、例えば、アナログ放送信号については、アンプ部２４以降の後段の構成により、放送信号が再生される。同様に、例えば、デジタル放送信号については、アンプ部２５以降の構成により、放送信号が再生される。
【００２２】
又、アンプ部２５及びＡ／Ｄコンバータ３３−１とレベル検出部３３−４は、ＡＧＣを構成しており、適正なレベルのデジタルＩＦ出力をＡ／Ｄコンバータ３３−１に供給している。
【００２３】
・アナログＩＦ信号への影響
ここで、上述したようなアナログ・デジタルチューナ部１０は、上述したように、操作に応じて、任意のアナログ放送及びデジタル放送を受信し再生する。しかし、以下のように、特にアナログ放送を受信する際にデジタル放送復調側からの影響を受けて、映像に縞を作ってしまうという問題がある。
【００２４】
すなわち、アナログ・デジタルチューナ部１０を使用するときの問題として、従来通りにアナログ受信時に、デジタル復調部であるアンプ部２５や復調部３３等を動作させておくと、アンプ部２５以降のデジタルＩＦ（中間周波数）ラインにも、アナログＩＦ信号出力が入る。そして、デジタル復調部３３のレベル検出部３３−４で信号レベルを検波され、その検波電圧を増幅部制御信号（ＩＦ＿ＡＧＣ）としてアンプ部２５にフィードバックしてしまう。
【００２５】
特に、アナログ受信の際の弱電界受信時に、アナログＩＦ信号レベルが低くなるのに対して、増幅部制御信号（ＩＦ＿ＡＧＣ）は、ＡＧＣ制御を受けて利得を上げる方向に動く。増幅部制御信号（ＩＦ＿ＡＧＣ）は利得が高く、弱電界受信時は、デジタルＩＦ信号が大きくなり、アナログＩＦ信号の信号レベルは相対的に小さくなる。
【００２６】
この結果、デジタルＩＦ信号ラインからアナログＩＦ信号ラインへの漏れ込みが起こってしまう。それが、スプリアスとなってアナログ受信時の映像に縞を作ってしまう。
【００２７】
この不都合な状況は、図２のノイズとして観測できる。又、図３においては、改善される前のゲイン信号としてはデジタル信号受信時のレベルと変わらないレベルで観測ができる。ここで、図２は、本発明の一実施形態に係るアナログ・デジタルチューナ部の映像出力成分の一例を示すグラフである。同様に、図３は、アナログ・デジタルチューナ部のＡＧＣ電圧の変化の一例を示すグラフである。図２は、本発明の一実施形態に係るアナログ・デジタルチューナ部の出力成分の一例を示すグラフである。同様に、図３は、アナログ・デジタルチューナ部のゲインの変化の一例を示すグラフである。
【００２８】
（アナログＩＦ信号のノイズ対策）
以下、本発明の一実施形態である放送受信装置によるアナログＩＦ信号のノイズ対策の具体例を以下に詳細に説明する。
【００２９】
１）増幅部制御信号（ＩＦ＿ＡＧＣ）を最小となるべく設定する
すなわち、レベル検出部３３−４から出力される増幅部制御信号（ＩＦ＿ＡＧＣ）は、論理部３３−２により設定されるため、論理部３３−２の制御において最小に対応することが好適である。
【００３０】
すなわち、論理部３３−２は、選局部がアナログ放送を選局する場合、レベル検出部３３−４からの増幅部制御信号（ＩＦ＿ＡＧＣ）を最小とすることで、これ以上、デジタル側のＩＦ  ＡＧＣを増幅させることがない。従って、増幅部制御信号（ＩＦ＿ＡＧＣ）は、デジタルＩＦ信号ラインからアナログＩＦ信号ラインへの漏れ込みを回避することができるので、図３の改善されたアンプ部２４のゲイン信号Ｇ１を得ることができ、安定したアナログ放送の再生が可能となる。
【００３１】
２）アンプ部２５による増幅処理に基づくＡＧＣ処理を停止させる
次の方法として、アンプ部２５による増幅処理に基づくＡＧＣ処理を停止させることが好適である。すなわち、アンプ部２５の動作が例えば、論理部３３−２で制御されている場合は、論理部３３−２の判断により、選局部がアナログ放送を受信する場合、アンプ部２５による増幅処理に基づくＡＧＣ処理を停止させることが好適である。この結果、アンプ部２５からの信号のゲインは最小となる。
【００３２】
これにより、増幅部制御信号（ＩＦ＿ＡＧＣ）は、デジタルＩＦ信号ラインからアナログＩＦ信号ラインへの漏れ込みを回避することができるので、図３の改善されたアンプ部２４のゲイン信号Ｇ１を得ることができ、安定したアナログ放送の再生が可能となる。
【００３３】
３）アナログ受信時、デジタル復調ＩＣをスリープモードにする
すなわち、論理部３３−２又は図示しない制御部（例えば、図５により後述するシステム上の制御部１３０）は、アナログ受信時、復調部３３のデジタル復調ＩＣである論理部３３−２の動作モードをスリープモードにすることが好適である。
【００３４】
これにより、同様に、デジタルＩＦ信号ラインからアナログＩＦ信号ラインへの漏れ込みを回避することができるので、図３の改善されたアンプ部２４のゲイン信号Ｇ１を得ることができ、安定したアナログ放送の再生が可能となる。
【００３５】
４）アナログ受信時、デジタル復調ＩＣのＡＤＣ、コアロジック、ＰＬＬの動作停止
同様に、論理部３３−２又は図示しない制御部（例えば、図５により後述するシステム上の制御部１３０）は、アナログ受信時、復調部３３のＡ／Ｄコンバータ３３−１、コアロジックである論理部３３−２、ＰＬＬ３３−３を停止することが好適である。
【００３６】
これにより、同様に、デジタルＩＦ信号ラインからアナログＩＦ信号ラインへの漏れ込みを回避することができるので、図３の改善されたアンプ部２４のゲイン信号Ｇ１を得ることができ、安定したアナログ放送の再生が可能となる。
【００３７】
５）チューナ内のデジタルＩＦとアナログＩＦ信号のアイソレーションを取る
同様に、論理部３３−２又は図示しない制御部（例えば、図５により後述するシステム上の制御部１３０）は、アナログ受信時、チューナ内のデジタルＩＦとアナログＩＦ信号のアイソレーションを取ることが好適である。すなわち、図４に示すように、例えば、バンドパスフィルタ２３とアンプ部２５との間にスイッチ３６を設け、これを、例えば、システム上の制御部１３０等（図５）により制御させることが好適である。
【００３８】
これにより、同様に、デジタルＩＦ信号ラインからアナログＩＦ信号ラインへの漏れ込みを回避することができるので、図３の改善されたアンプ部２４のゲイン信号Ｇ１を得ることができ、安定したアナログ放送の再生が可能となる。
【００３９】
＜本発明の一実施形態である放送受信装置を適用した記録装置の一例＞
次に、上述した本発明の一実施形態である放送受信装置を適用した記録装置の一例を図面を用いて説明する。
【００４０】
（構成）
初めに、図５に示す映像記録装置１００は、２種類のディスクドライブ部を有する。まず、ビデオファイルを構築できる情報記録媒体である第１のメディアとしての光ディスクＤを回転駆動し、情報の読み書きを実行する光ディスクドライブ部１１９を有する。ここで、光ディスクＤは、一例として、ＨＤ ＤＶＤであるがこれに限定されるものではない。又、第２のメディアとしてのハードディスクを駆動するハードディスクドライブ部１１８を有する。制御部１３０は、全体の動作を司るべくデータバスを介して各部に接続されている。
【００４１】
又、図５に示される映像記録装置１００は、録画側を構成するエンコーダ部１２１と、再生側を構成するＭＰＥＧデコーダ部３４と、装置本体の動作を制御する制御部１３０とを主たる構成要素としている。映像記録装置１００は、出力側のセレクタ部１１７を有しており、バスラインに接続されるＬＡＮ等の通信部１１１と、アナログ・デジタルチューナ部１０と、後段の復調部３３と、エンコーダ部１２１が、信号を出力する。又、アナログ・デジタルチューナ部１０には、アンテナが接続されている。又、映像記録装置１００は、エンコーダ部１２１と、エンコーダ部１２１の出力を受け、データ編集等の所望のデータ処理を行うデータ編集部１２０と、データ編集部１２０に接続されるハードディスクドライブ部１１８と、光ディスクドライブ部１１９を有している。更に、映像記録装置１００は、ハードディスクドライブ部１１８と、光ディスクドライブ部１１９からの信号を受けてデコードするＭＰＥＧデコーダ部３４と、エンコーダ部１２１と、バッファ部１２２と、ＭＰＥＧデコーダ部３４と、多重化部１２８と、分離部１２９と、制御部１３０と、映像画面に所望の映像を合成するＯＳＤ部１３１と、予約リストや番組表画像を生成する予約録画部１４３を有している。これらの各部は、データバスを介して制御部１３０に接続されている。更に、セレクタ部１１７の出力は、外部の受像機１４１に接続されるか、外部装置との通信を行うインターフェース部１２７を介して、外部装置に供給される。
【００４２】
更に、映像記録装置１００は、データバスを介して制御部１３０に接続され、ユーザの操作やリモコンＲの操作を受ける操作部１３２を有している。ここで、リモコンＲは、映像記録装置１００の本体に設けられる操作部１３２とほぼ同等の操作を可能とするものであり、ハードディスクドライブ部１１８や光ディスクドライブ部１１９の記録再生指示や、編集指示、チューナの操作、予約録画の設定等の各種設定が可能である。
【００４３】
（動作）
このような構成の映像記録装置１００において、光ディスクに例を取って、再生処理と記録処理の概要を説明する。すなわち、制御部１３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００４４】
又、光ディスクの記録処理は、制御部１３０の制御下において、例えば、アナログ・デジタルチューナ部１０から供給された映像音声信号は、エンコーダ部１２１に供給され、コード化されて出力される。このコード化出力と制御部１３０の出力に応じて、レーザドライバの駆動電流が光ピックアップに供給され、光ディスクＤの記憶領域に照射することで、記録処理が行われるものである。
【００４５】
以上、本発明の一実施形態であるアナログ・デジタルチューナ部１０は、このような映像記録装置１００に適用することができるが、これに限定されるものではない。
【００４６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４７】
【図１】本発明の一実施形態に係るアナログ・デジタルチューナ部の構成の一例を示すブロック図。
【図２】本発明の一実施形態に係るアナログ・デジタルチューナ部の出力成分の一例を示すグラフ。
【図３】本発明の一実施形態に係るアナログ・デジタルチューナ部のゲインの変化の一例を示すグラフ。
【図４】本発明の一実施形態に係るアナログ・デジタルチューナ部の構成の他の一例を示すブロック図。
【図５】本発明の一実施形態に係るアナログ・デジタルチューナ部を用いた光ディスク装置の構成の一例を示すブロック図。
【符号の説明】
【００４８】
１…放送受信装置、１０…アナログ・デジタルチューナ部、１１…入力端、１２…ハイパスフィルタ、１３…アンプ部、１４…バンドパスフィルタ、１５…アンプ部、１６…バンドパスフィルタ、１７…選局部、１８…混合部、１９…発振部、２０…バンドパスフィルタ、２１…レベル検出部、２２…アンプ部、２３…バンドパスフィルタ、２４…アンプ部、２５…アンプ部、２６…アナログ音声フィルタ、２７…アナログ映像フィルタ、２８…第２の復調部、３３…第１の復調部３３、３４…ＭＰＥＧデコーダ部、３５…映像音声処理部、４１…出力端。
【図１】
2009038492.tif 000003
【図２】
2009038492.tif 000004
【図３】
2009038492.tif 000005
【図４】
2009038492.tif 000006
【図５】
2009038492.tif 000007